(57)【特許請求の範囲】
【請求項１】
電界伝達媒体に誘起された電界を介して送信された情報を受信するための受信器において、
振幅検波回路において変調信号入力の位相転換もしくは終了してから所定時間で維持されるキャリア検出信号の出力を阻止するためのキャリア検出信号出力阻止手段
を備えることを特徴とする受信器。
【請求項２】
前記キャリア検出信号出力阻止手段は、前記振幅検波回路から出力される検出信号（ＤＴＣＴ）がＬレベルで、キャリア検出信号（ＣＲＯＮ）がＨレベルである場合に前記キャリア検出信号の出力を阻止することを特徴とする請求項１に記載の受信器。
【請求項３】
請求項１又は請求項２に記載の受信器と、
電界伝達媒体に電界を誘起して送信すべき情報に基づく情報を送信する送信器と、
を備えることを特徴とするトランシーバ。
【発明の詳細な説明】
【技術分野】
【０００１】
本発明は、電界伝達媒体に電界を誘起して通信を行うための受信器およびトランシーバに関する。
【背景技術】
【０００２】
従来において、電界を人体などの電界伝達媒体に誘起させて、この誘起した電界を介して様々な情報通信を行う電界通信システムが提案されている。この電界通信システムは送信手段と受信手段あるいはそのいずれか一方を備えた電界通信装置を人間が所持し、他の人間や設備（ＰＣ、駅の改札、自動販売機、ドアや門扉など）に同様の電界通信装置を所持あるいは設置し、目的に応じた情報通信を行っている。この情報通信によりセキュリティ認証や課金、位置などのデータ収集などが可能になっている（特許文献１参照）。
【０００３】
こうした電界通信システムにおいては、受信回路における振幅検波回路に変調信号が入力される。変調信号が入力された場合、この変調信号が一時的に減少することがある。この原因としてはたとえば変調信号の位相反転時などである。この位相反転時にＣＲＯＮ（キャリア検出信号）が同時に途切れてしまうと、データ通信の継続に支障をきたすので、変調信号が途切れてもしばらくの間はＣＲＯＮがすぐに立ち下がらないようにしている。
【特許文献１】特開２００６−８１１１１
【発明の開示】
【発明が解決しようとする課題】
【０００４】
しかしながら上述のような従来の技術においては、ＣＲＯＮが立ち下がるまでの間にノイズが混入すると、ＤＡＴＡ端子に復調データとして不連続なイレギュラー信号が出力されてしまう。このため、このイレギュラー信号を不要な信号としてＣＰＵが判断するのに余計な動作時間が必要となり、それに伴う電力消費も過大になってしまう可能性があった。
【０００５】
本発明は上記を鑑みてなされたものであり、その目的は、復調データとしてイレギュラー信号が出力されることを阻止して、不要なＣＰＵの動作と電力消費を抑えることができる受信器とトランシーバを提供することにある。
【課題を解決するための手段】
【０００６】
上記の目的を達成するために、請求項１に記載の本発明は、電界伝達媒体に誘起された電界を介して送信された情報を受信するための受信器において、振幅検波回路において変調信号入力の位相転換もしくは終了してから所定時間で維持されるキャリア検出信号の出力を阻止するためのキャリア検出信号出力阻止手段を備える。
【０００７】
また、請求項２に記載の本発明は、請求項１において、前記キャリア検出信号出力阻止手段は、前記振幅検波回路から出力される検出信号（ＤＴＣＴ）がＬレベルで、キャリア検出信号（ＣＲＯＮ）がＨレベルである場合に前記キャリア検出信号の出力を阻止する。
【０００８】
また、請求項３に記載の本発明は、請求項１又は請求項２に記載の受信器と、電界伝達媒体に電界を誘起して送信すべき情報に基づく情報を送信する送信器と、を備える。
【発明の効果】
【０００９】
本発明によれば、復調データとしてイレギュラー信号が出力されることを阻止して、不要なＣＰＵの動作と電力消費を抑えることができる受信器とトランシーバを提供することができる。
【発明を実施するための最良の形態】
【００１０】
本発明の受信器およびトランシーバの実施の形態を説明する前に、本発明の理解を容易にするために既存の受信器の復調データの出力波形について説明する。
【００１１】
まず、図３に既存の受信器の主要構成部分を示す。受信回路１と、振幅検波回路２が組み合わされ、振幅検波回路２からの出力はバッファ回路３、抵抗器５、およびグランドに短絡するコンデンサ６、そしてバッファ回路４を介してＣＲＯＮ（キャリア検出信号）が出力されている。
【００１２】
一方、受信回路１から出力された変調信号はインバータ回路７を介してＮＡＮＤ回路８にＣＲＯＮと共に入力される。ＮＡＮＤ回路８からの出力はインバータ回路９、１０を介して復調データとして出力されている。この復調データは図２（ｄ）に示すように図２（ａ）に示す変調信号入力が途切れた後において、ノイズなどに起因するイレギュラーデータを含んでいる。
【００１３】
このように既存の受信回路では、変調信号入力が終了してからしばらくの間、ＣＲＯＮがＨを維持するような回路となっている。これは変調信号入力の位相反転時に振幅が一時的に減少したときにＣＲＯＮがすぐに立ち下がらないようにするために必要な措置である。しかし、変調信号入力の信号入力が無くなってからＣＲＯＮが立ち下がるまでの期間は、ノイズが受信回路に入力されてしまうために、ＤＡＴＡ端子に不連続なイレギュラーデータが現れてしまう。
【００１４】
これを踏まえたうえで、本発明の受信器およびトランシーバの実施の形態においては、図１に示す回路構成を備えている。図２（ｄ）に示すイレギュラーデータを出力させないために、図１に示す回路が受信回路に接続して形成されている。この回路によって、ＤＴＣＴ＝Ｌ、ＣＲＯＮ＝Ｈの期間はデータを保持し、それ以外の時のみデータ出力を行うようにしている。
【００１５】
この図１の構成は、受信回路１と振幅検波回路２が組み合わされ、振幅検波回路２から直接にＤＴＣＴ（検波信号）が取出されている。このＤＴＣＴはインバータ回路４を介して出力されたＣＲＯＮ共にＮＡＮＤ回路１２に入力されている。ここで、ＣＲＯＮは信号入力時にはＨとなり、信号未入力時にはＬとなり、この動作はＤＴＣＴよりも遅くなるように設定されている。ＤＴＣＴは信号入力時にＨとなり、信号未入力時にはＬとなる。またＮＡＮＤ回路１２の出力はパススイッチ１５、１６のＯＮ／ＯＦＦ制御を行う。このような回路構成により、インバータ回路１０から復調データが取出される。
【００１６】
こうして取出された復調データは図２（ｅ）に示すようにイレギュラーデータを含まず、ＣＰＵに余計な判断動作をさせることがなく、結果としてシステム全体の情報処理速度が速くなり、消費電力を減らすことができる。
【００１７】
なお、本実施の形態の受信器と既存の受信器を組み合わせてトランシーバを構成することもできる。
【００１８】
以上説明した本発明の実施の形態によれば、復調データとしてイレギュラー信号が出力されることを阻止して、不要なＣＰＵの動作と電力消費を抑えることができる受信器とトランシーバを提供することができる。
【図面の簡単な説明】
【００１９】
【図１】本発明の受信器の実施の形態に係る、全体構成の回路図を示す。
【図２】本発明の受信器の実施の形態に係る、動作波形を説明するための説明図を示す。
【図３】従来技術における受信器の全体構成の回路図を示す。
【符号の説明】
【００２０】
１…受信回路
２…振幅検波回路
３、４…バッファ回路
５…抵抗器
６…コンデンサ
７、９、１０、１１、１３、１４…インバータ回路
８、１２…ＮＡＮＤ回路
１５、１６…パススイッチ
【図１】
0004751912.tif 000002
【図２】
0004751912.tif 000003
【図３】
0004751912.tif 000004